(57)【要約】      （修正有）【課題】折り畳み・開展状態が確固維持され、表裏面に段差がないため絵柄・文字の印刷が容易で、体裁良く折り畳みのできるうちわを提供すること。【解決手段】扇形主体１に、横折り線２を介して下部片３を連設し、横折り線を挾んで扇形主体と下部片に、下部片を折り曲げたときに相互が重なる丸孔Ｍ・Ｎを空け且つ扇形主体の丸孔直上部に下部片の端部が係合する中央スリットＳを形成する。扇形主体と下部片に、全体を中央片・左右側片に区分けする縦折り線６・６’を傾斜形成し、左右側片のいずれか一方に、他方の側片が係合する上部スリットＴを形成する。【選択図】図１
0003107313.tif 000002
【実用新案登録請求の範囲】
【請求項１】
厚紙からなる扇形主体に、横折り線を介して下部片を連設し、横折り線を挾んで扇形主体と下部片に、下部片を折り曲げたときに相互が重なる丸孔を空け且つ扇形主体の丸孔直上部に下部片の端部が介入する中央スリットを形成し、扇形主体と下部片に、全体を中央片・左右側片に区分けする縦折り線を傾斜形成し、左右側片のいずれか一方に、他方の側片の周縁の一部が介入する上部スリットを形成することを特徴とする折り畳み式うちわ。
【考案の詳細な説明】
【技術分野】
【０００１】  本考案は、シンプルな形の折り畳み式うちわに関する。
【背景技術】
【０００２】  通常のうちわは、合成樹脂等で骨組みと柄を設け、骨組みの表裏面に紙を被装したものであるが、円形に作製した厚紙に指挿入孔を形成した簡易うちわも用いられるようになっている。しかして従来、うちわを携帯に便利なように折り畳みできるように工夫した技術も散見される（例えば特許文献１、特許文献２参照）。
【特許文献１】登録実用新案第３０７２０３５号公報
【特許文献２】実開平６−６１１２２号公報
【考案の開示】
【考案が解決しようとする課題】
【０００３】  特許文献１に開示された技術は、基部を円弧状に形成した幅狭の略扇形状の厚紙からなり、基部に設けた丸孔の周囲に複数の切り抜き爪を有するうちわ基体と、うちわ基体と同一形状で丸孔を形成しているが切り抜き爪を有しないうちわ単体の２枚以上で構成され、うちわ基体に他のうちわ単体を重ねるとともに、うちわ基体の切り抜き爪をうちわ単体の丸孔に嵌合固定して形成したうちわである。このうちわは、基部を支点に複数枚のうちわ基体と単体とが開閉し、閉じた時にはうちわ基体と単体とが１枚の単体幅に折り畳まれるが、開いた時にはうちわ基体と単体同士が部分的に重ね合わさるためその部分に段差を生じ、したがって表裏面に絵柄・文字等の印刷を施すと段差があるため不体裁になるおそれと、重なり合う円弧状の基部が把持しずらい不利がある。またうちわ基体には丸孔に切り抜き爪を形成する手数と、複数枚の基体及び単体を相互に重ね合わせるという煩雑な工程を必要とする問題点もある。【０００４】  特許文献２に開示された技術は、１枚の展開厚紙の中央下部に指挿入孔を持つ左右の扇形片と、左右扇形片の夫々に扇形中央片を設け、左右扇形片の両側に補強片を夫々連設した構成であり、左右２枚の補強片を左右扇形片に重ね合わせることにより左右扇形片が補強されるとしている。このうちわによると、補強片は左右扇形片に貼着されるものであるから、裏側には補強片の貼着した部分と、貼着されていない扇形中央片との間に段差が生じ、したがって絵柄や文字を印刷すると段差部分があるため不体裁となる懸念と扇形中央片の存在により全体形状が制約される不具合がある。またこのうちわは、折り線に沿って折り畳まれるものゝその折り畳み状態を固定する手段を持たないため、折り畳み状態が半開きになるという問題もある。【０００５】  本考案は上記のような従来のうちわに鑑みてなされたもので、１枚の厚紙から型抜き形成できるシンプルな構成であるから組み立て手数がかゝらず製作が容易であり、開いた時に表裏面が対称形で段差を生ずることがないためいずれの面にも絵柄・文字の印刷を体裁よく施すことができ、笏形とした折り畳み状態が確固として維持される、携帯に便利な折り畳み式うちわを提供することを目的とする。
【課題を解決するための手段】
【０００６】  上記目的を達成するために本考案は、厚紙からなる扇形主体に、横折り線を介して下部片を連設し、横折り線を挾んで扇形主体と下部片に、下部片を折り曲げたときに相互が重なる丸孔を空け且つ扇形主体の丸孔直上部に下部片の端部が係合する中央スリットを形成し、扇形主体と下部片に、全体を中央片・左右側片に区分けする縦折り線を傾斜形成し、左右側片のいずれか一方に、他方の側片の周縁の一部が係合する上部スリットを形成することを技術手段とする。
【考案の効果】
【０００７】  扇形片と下部片からなる１枚の厚紙に、横折り線と縦折り線及び中央スリットと上部スリットを形成し、丸孔を空けただけの頗るシンプルな形状であって型抜き形成でき、組み立て手数がかゝらないので安価量産に好適する。【０００８】  下部片を折り曲げると２つの丸孔が合致して指を挿入でき、下部片が重なり合った分扇形主体の厚みが増してつかみやすくなり、下部片端部を中央スリットに係合すると下部片の折り曲げ状態が維持され、折り曲げた下部片によって扇形片が補強されるという効果をも発揮する。【０００９】  開いた時に表裏面が対称形で従来品のような段差を生じないので、夫々に一連の絵柄・文字などの印刷を施しても違和感がなく美麗に仕上がる。【００１０】  折り畳むとコンパクトな笏形状となって収納・携帯に便利で随時随所で使用でき、片方の側片の周縁の一部を他方の側片の上部スリットに係合すると折り畳み状態が固定されるので半開き状態となる懸念がない。
【考案を実施するための最良の形態】
【００１１】  開展状態における図１（ａ）において、１は厚紙からなる通常のうちわと同形に形成した扇形主体であり、下部の横折り線２を介して略あご形の下部片３を連設している。横折り線２を挾んで扇形主体１と下部片３に同形の丸孔Ｍ・Ｎを夫々形成し、扇形主体１の丸孔Ｍ直上部に弧状の中央スリットＳを形成している。【００１２】  ６・６’は全体を中央片４と左右の側片５・５’に区分けするために扇形主体１と下部片３に傾斜形成した縦折り線であり、Ｔは片方の側片（図では右側の側片５’）に形成した弧状の上部スリットで、他方の側片（図では左側の側片５）の周縁の一部を係合することができる。この正面側と背面は対称形であり、中央片４と左右の側片５・５’に段差は生じないので扇形主体１の面は平滑となっている。【００１３】  図１（ｂ）に示すように、横折り線２に沿って下部片３を扇形主体１側に折り曲げると下部片３の端部３ａを扇形主体１の中央スリットＳに係合できる。この時扇形主体１と下部片３の丸孔Ｍ・Ｎは重なるので、合致した丸孔Ｍ・Ｎに指を挿入できて使い勝手が良くなる。また下部片３が扇形主体１に厚みを持たせるので把持しやすく、下部片３が扇形主体１の補強ともなるため堅牢性が発揮される。【００１４】  しかして図２（ａ）〜（ｃ）に示すように、縦折り線６・６’に沿って全体を笏形に折り畳むことができる。まず（ａ）のように右側の側片５’を左側に屈曲して中央片４に重ね合わせて密着させる。次いで左側の側片５を右側の側片５’上に重ね合わせ且つ側片５の弧状の周縁の一部を側片５’の弧状の上部スリットＴに係合すると、（ｂ）のように左右の側片５・５’の双方が中央片４の表面に重なるため、全体が扇形主体１の横幅と等長に折り畳まれ、上部スリットＴに周縁の一部が係合することによって左側の側片５が右側の側片５’と確固結合し、折り畳み状態が保持されて半開きとなるようなことがなく、裏側も（ｃ）のようにシンプルな形態となり、全体が細形・薄形でコンパクトになるため、ポケットやバッグに容易に収納できる。【００１５】  以上のように本案うちわは、開いた時には表裏面が平滑なため絵柄・文字などの印刷に適し、折り畳むと見栄えのする笏形状となるので開閉いずれの場合にもうちわとしての良さが遺憾なく発揮され、しかも使用時には下部片３により厚みが増して使いやすくなるという優れた機能を発揮し、また再生紙などの厚紙を利用して型抜きにより安易に作製できるため土産品・販促用として広範な利用に供することができる。【００１６】  なお上記実施形態における素材・形状等は一例であり、本考案の目的・効果を奏する範囲の変更は本考案の実施の範疇に属するものである。
【図面の簡単な説明】
【００１７】
【図１】（ａ）は本考案の開展状態正面図、（ｂ）は下部片を屈曲した正面図である。
【図２】（ａ）は片方の側片を折り畳む過程の正面図、（ｂ）は完全折り畳み状態の正面図、（ｃ）は完全折り畳み状態の背面図である。
【符号の説明】
【００１８】１  扇形主体
２  横折り線
３  下部片
３ａ  端部
４  中央片
Ｍ・Ｎ  丸孔
Ｓ  中央スリット
５・５’  左右の側片
６・６’  縦折り線
Ｔ  上部スリット
【図１】
0003107313.tif 000003
【図２】
0003107313.tif 000004